(57)【要約】【課題】見栄えが良好な車両用表示装置を提供する。【解決手段】車両用表示装置は、光源光を提供する光源部と、透光性の板状に形成され、板面４０ｂから凹んで形成された複数の反射素子４２を有する表示板であって、外縁部を介して内部に導入された光源光を複数の反射素子４２により視認側へ反射することにより、発光して表示を行なう透光反射表示板４０と、を備える。複数の反射素子４２は、互いに規則的に配列されて面光源状に発光することにより、図柄５０を表示する。複数の反射素子４２は、図柄５０の表示に関する表示態様が互いに異なる複数の領域５１，５２，５３，５４の境界をなす境界部に配置され、境界に隣接する複数の領域５１，５２，５３，５４のうち、いずれかの領域側に隣接する反射素子４２よりも、凹み深さが浅い境界反射素子４２ａを含む。【選択図】図８
2018179655.tif 000002
【特許請求の範囲】
【請求項１】
車両に搭載される車両用表示装置であって、
光源光を提供する光源部（３０）と、
透光性の板状に形成され、板面（４０ｂ）から凹んで形成された複数の反射素子（４２）を有する表示板であって、外縁部（４１，４１ａ）を介して内部に導入された前記光源光を前記複数の反射素子により視認側へ反射することにより、発光して表示を行なう透光反射表示板（４０）と、を備え、
前記複数の反射素子は、互いに規則的に配列されて面光源状に発光することにより、図柄（５０）を表示し、
前記複数の反射素子は、前記図柄の表示に関する表示態様が互いに異なる複数の領域（５１，５２，５３，５４）の境界をなす境界部（５５ａ，５５ｂ，５５ｃ）に配置され、前記境界に隣接する前記複数の領域のうち、いずれかの前記領域側に隣接する前記反射素子よりも、凹み深さ（Ｄ）が浅い境界反射素子（４２ａ）を含む車両用表示装置。
【請求項２】
前記境界反射素子は、前記図柄が表示される前記表示態様の前記領域としての表示領域と、前記図柄が表示されない前記表示態様の前記領域としての非表示領域との前記境界をなす前記境界部に、配置されている表示境界反射素子（４２ｂ）を含む請求項１に記載の車両用表示装置。
【請求項３】
前記板面を、前記複数の反射素子の配列の規則性に基づいて、仮想的に格子状分割された複数の分割セル（ＩＳ）を定義し、
前記表示境界反射素子の凹み深さをＤｂｄと定義し、
前記表示境界反射素子に対して、前記表示領域側に隣接する前記反射素子の凹み深さをＤｅと定義し、
前記表示境界反射素子が配置される前記分割セルの全体面積のうち、前記境界部の中央を通る仮想の境界線（Ｊ）よりも非表示領域側の面積をＡと定義し、前記境界線よりも表示領域側の面積をＢと定義すると、
Ｄｂｄ＝Ｄｅ・Ｂ／（Ａ＋Ｂ）  が成立する請求項２に記載の車両用表示装置。
【請求項４】
前記境界反射素子は、互いに異なる表示輝度に表示される前記表示態様の前記複数の領域の前記境界をなす前記境界部に、配置されている輝度境界反射素子（４２ｃ）を含む請求項１から３のいずれか１項に記載の車両用表示装置。
【請求項５】
前記輝度境界反射素子の凹み深さは、前記複数の領域のうち、最も高輝度に表示される前記表示態様の前記領域側に隣接する前記反射素子の凹み深さと、最も低輝度に表示される前記表示態様の前記領域側に隣接する前記反射素子の凹み深さとの間となっている請求項４に記載の車両用表示装置。
【請求項６】
前記複数の領域は、表示輝度が特定方向へ向かうに従って変化する前記表示態様のグラデーション領域（５２）を含む請求項１から５のいずれか１項に記載の車両用表示装置。
【請求項７】
前記複数の反射素子のうち少なくとも一部は、連続的に配列される反射素子群（４９）を構成し、
前記反射素子群において、各前記反射素子の頂部（４７）間の距離をピッチと定義すると、
同じ前記反射素子群に属する各前記反射素子は、前記境界部に配置されているか前記境界部以外に配置されているかに関わらず、互いに同じ前記ピッチにて配列されている請求項１から６のいずれか１項に記載の車両用表示装置。
【発明の詳細な説明】
【技術分野】
【０００１】
本開示は、車両に搭載される車両用表示装置に関する。
【背景技術】
【０００２】
従来、車両に搭載される車両用表示装置が知られている。特許文献１に開示の装置は、光源部及び透光反射表示板を備えている。光源部は、光源光を提供する。透光反射表示板は、透光性の板状に形成され、板面から凹んで形成された複数の反射素子を有する。そして、外縁部を介して内部に導入された光源光は、複数の反射素子により視認側へ反射することにより、発光して表示を行なう。具体的に、複数の反射素子は、互いに規則的に配列されて面光源状に発光することにより、図柄を表示している。より詳細に、複数の反射素子は、板面から頂部までの凹み深さを、互いに同じ値に設定し、かつ、頂部間のピッチを、全て同じ値に設定している。
【先行技術文献】
【特許文献】
【０００３】
【特許文献１】特開２０１６−１２１８９０号公報
【発明の概要】
【発明が解決しようとする課題】
【０００４】
さて、こうした複数の反射素子により所望の図柄を表示する場合、図柄の表示に関する表示態様が互いに異なる複数の領域の境界をなす境界部における見栄えが問題となる。具体的に、特許文献１の構成では、反射素子のピッチが全て同じ値となっているため、表示したい図柄の境界部において、ピッチに対する図柄の寸足らず又は寸余りが生じ、図柄の境界部において、例えば、所望の輪郭を正確に実現できない場合がある。
【０００５】
一方で、寸足らず又は寸余りを解消するために、特許文献１の凹み深さが同じ値の構成において、境界部の近傍だけ反射素子のピッチを変更すると、当該ピッチを変更した部分と変更しなかった部分の表示の見栄えに顕著な差が生じ、視認者に違和感を与えることとなり、図柄全体の見栄えが悪化することが懸念されている。
【０００６】
以上のように、ピッチの設定だけによって、境界部の見栄えを改善することは困難であった。
【０００７】
開示されるひとつの目的は、見栄えが良好な車両用表示装置を提供することにある。
【課題を解決するための手段】
【０００８】
ここに開示された車両用表示装置は、車両に搭載される車両用表示装置であって、
光源光を提供する光源部（３０）と、
透光性の板状に形成され、板面（４０ｂ）から凹んで形成された複数の反射素子（４２）を有する表示板であって、外縁部（４１，４１ａ）を介して内部に導入された光源光を複数の反射素子により視認側へ反射することにより、発光して表示を行なう透光反射表示板（４０）と、を備え、
複数の反射素子は、互いに規則的に配列されて面光源状に発光することにより、図柄（５０）を表示し、
複数の反射素子は、図柄の表示に関する表示態様が互いに異なる複数の領域（５１，５２，５３，５４）の境界をなす境界部（５５ａ，５５ｂ，５５ｃ）に配置され、境界に隣接する複数の領域のうち、いずれかの領域側に隣接する反射素子よりも、凹み深さ（Ｄ）が浅い境界反射素子（４２ａ）を含む。
【０００９】
このような車両用表示装置によると、表示態様が互いに異なる複数の領域の境界部に配置された境界反射素子は、いずれかの領域側に隣接する反射素子よりも、凹み深さが小さくなっている。こうした反射素子では、凹み深さが浅い程、光源部から外縁部を介して透光反射表示板の内部に導入された光源光の受光量が減少する傾向にあるため、表示輝度を減少させることができる。故に、境界反射素子が設けられた境界部は、反射素子の凹み深さが相対的に深い領域よりも小さな表示輝度で表示されることとなる。図柄についての境界部における境界反射素子の配置箇所が、全く表示されないわけでもなく、高輝度に張り出したように表示されるわけでもないので、複数の領域の表示態様が異なっていても、境界部での反射素子の発光に起因した違和感を緩和することができる。以上により、見栄えが良好な車両用表示装置を提供することができる。
【００１０】
なお、括弧内の符号は、後述する実施形態の部分との対応関係を例示的に示すものであって、技術的範囲を限定することを意図するものではない。
【図面の簡単な説明】
【００１１】
【図１】一実施形態における車両用表示装置を部分的に示す正面図である。
【図２】図１のII−II線断面図である。
【図３】一実施形態における反射素子群における反射素子の配列状態を拡大して示す正面図である。
【図４】図３のIV−IV線断面図である。
【図５】図３のV−V線断面図である。
【図６】一実施形態における図柄の表示状態を、写真により、部分的に拡大して示す部分拡大図である。
【図７】一実施形態における図柄において、放射方向位置と輝度との関係を示すグラフである。
【図８】図６で拡大した部分を、分割セルにより模式的に示す模式図であって、分割セルと反射素子の配置との対応関係も示している。
【図９】一実施形態における成形型の製造方法を示すフローチャートである。
【図１０】図９のドットパンチ工程を説明するための図である。
【図１１】図９の平面研削工程を説明するための図である。
【図１２】図９の転写工程を説明するための図である。
【図１３】変形例１の内容を説明するための図である。
【図１４】変形例２の内容を説明するための図である。
【図１５】変形例７における透光反射表示板を説明するための図である。
【発明を実施するための形態】
【００１２】
一実施形態を図面に基づいて説明する。
【００１３】
図１に示すように、本開示の一実施形態による車両用表示装置１００は、車両に搭載され、当該装置１００を視認する乗員が着座する座席と対向するインストルメントパネルに設置されている。車両用表示装置１００は、乗員が着座することとなる視認側へ向けて車両の情報を表示可能となっている。
【００１４】
なお、本実施形態において車両下側とは、水平面上の車両において重力が生ずる側を示す。車両上側とは、車両下側の反対側を示す。車両左側又は車両右側は、座席に着座した乗員を基準とした左側又は右側を示す。
【００１５】
このような車両用表示装置１００は、図２にも示すように、ケース部１０、本体表示部２０、透光反射表示板４０、及び光源部３０等により構成されている。
【００１６】
ケース部１０は、背面側ケース部材１１、視認側ケース部材１２、プレートウインド部材１３、及びスモーク板１４を有している。背面側ケース部材１１は、例えば合成樹脂により遮光性に形成されており、本体表示部２０を視認側とは反対側の背面側から覆っている。背面側ケース部材１１よりも視認側に配置された視認側ケース部材１２は、例えば合成樹脂により遮光性に形成されており、本体表示部２０を外周側から囲むように形成されている。
【００１７】
プレートウインド部材１３は、例えば合成樹脂により遮光性に形成されており、大部分を本体表示部２０よりも視認側に配置されている。プレートウインド部材１３は、装置１００の外周輪郭に沿って視認側及び背面側に開口部を有する筒状に形成されている。スモーク板１４は、例えば着色されたアクリル樹脂又はポリカーボネイト樹脂等の半透光性樹脂により、プレートウインド部材１３の視認側開口部の全面を塞ぐ曲面板状に形成されている。これにより本体表示部２０及び透光反射表示板４０は、スモーク板１４を通して乗員により視認されることとなる。本実施形態のスモーク板１４は、スモーク調の着色により、透過率が３０％程度に設定されているが、３０％以上の任意の値に設定されていてもよい。
【００１８】
本体表示部２０は、背面側表示板２１、複数の指針表示部２３、及び画像表示部２６を有している。背面側表示板２１は、一般的に文字板とも呼ばれており、背面側ケース部材１１と透光反射表示板４０との間に配置されている。背面側表示板２１は、例えばアクリル樹脂又はポリカーボネイト樹脂等の透光性を有する基材の視認側の表面に、半透光性又は遮光性の印刷が部分的に施されて、平板状に形成されている。なお、印刷に代えて、塗装が施されていてもよい。
【００１９】
複数の指針表示部２３は、本実施形態では２つ設けられており、背面側表示板２１の車両左側の範囲及び車両右側の範囲に、それぞれ配置されている。ここで、２つの指針表示部２３は互いに同様の構成となっているため、車両左側の指針表示部２３について代表して説明する。
【００２０】
指針表示部２３は、ステッピングモータ２４及び指針２５を有している。ステッピングモータ２４は、背面側ケース部材１１と背面側表示板２１との間に、すなわち背面側表示板２１よりもさらに背面側に配置されたメイン回路基板２７に保持されている。
【００２１】
指針２５は、連結部２５ａ及び指示部２５ｂを一体的に有している。連結部２５ａは、背面側表示板２１に空けられた貫通穴を通して配置されており、ステッピングモータ２４の回転軸２４ａと連結されている。指示部２５ｂは、背面側表示板２１と透光反射表示板４０との間、すなわち背面側表示板２１よりも視認側かつ透光反射表示板４０よりも背面側に配置されており、針状を呈している。指針２５は、ステッピングモータ２４の出力に応じて回転軸２４ａに沿った指針軸ＡＸまわりに回動するようになっており、指標２２を指示することにより、指示位置に応じた車両の情報が表示されるようになっている。
【００２２】
指標２２は、背面側表示板２１上の印刷によって、目盛２２ａ及び当該目盛２２ａに対応する文字２２ｂを、指針軸ＡＸと同心円状の部分円環状に配列して形成されている。なお、本実施形態では、左側の指針表示部２３における指標２２は、車両の情報として、車両の速度を表示するための指標となっている。こうした指針２５による指標２２の指示により表示される車両の情報としては、車両の速度の他、エンジン回転数、燃料残量、エンジン冷却水の水温、あるいは電動モータの電流値等を採用することが可能である。
【００２３】
画像表示部２６は、背面側表示板２１の中央の範囲に配置されている。本実施形態の画像表示部２６には、液晶ディスプレイが採用されているが、有機ＥＬディスプレイ等が採用されてもよい。
【００２４】
透光反射表示板４０は、例えばアクリル樹脂又はポリカーボネイト樹脂等により、透光性に形成され、視認側板面４０ａ及び背面側板面４０ｂを有する平板状を呈している。視認側板面４０ａは、視認側を向いて形成されており、背面側板面４０ｂは、背面側を向くことで、背面側表示板２１と対向している。透光反射表示板４０は、背面側表示板２１と実質平行に設けられている。特に本実施形態の透光反射表示板４０は、背面側表示板２１の全面を視認側から覆っている。透光反射表示板４０は、本体表示部２０による表示を、光の透過により視認側に透過するようになっている。
【００２５】
光源部３０は、特に図１に示すように、透光反射表示板４０の矩形状の外縁部４１のうち、車両上側の外縁部４１ａに対応して設けられている。光源部３０は、車両上側の外縁部４１ａに沿って設けられた光源用回路基板３２上に、互いに配列された複数の発光素子３１を有している。複数の発光素子３１は、車両上側の外縁部４１ａと対向するように、透光反射表示板４０の沿設方向に沿って配列されている。
【００２６】
本実施形態において各発光素子３１には、発光ダイオードが採用されており、各発光素子３１は電源と接続されることで発光する。特に本実施形態では、各発光素子３１が互いに実質同一の色及び実質同じ輝度で発光制御されるようになっている。
【００２７】
光源部３０からの光源光が透光反射表示板４０に提供される。具体的に、透光反射表示板４０には、光源部３０からの光源光が、外縁部４１ａを介して、当該透光反射表示板４０の媒質内部（以下、単に内部と称する）に導入されるようになっている。特に本実施形態では、透光反射表示板４０の内部において、車両上方の外縁部４１ａから車両下方へ向かう方向を主たる進行方向ＰＤとして、光源光が進むようになっている。より詳細に、透光反射表示板４０の内部を進む光源光は、透光反射表示板４０が沿設方向に沿って直線的に進む光を含み、また、内部を一対の板面４０ａ，４０ｂに反射されながらジグザグに進む光を含む。
【００２８】
透光反射表示板４０は、光源光が到達される範囲に、図３〜５に示す複数の反射素子４２を有している。各反射素子４２は、背面側板面４０ｂから視認側へ凹むことで、微細なサイズの凹穴状に形成されている。本実施形態において、各反射素子４２は、単一の反射面４３、単一の裏面４４、及び一対の側面４５を有している。
【００２９】
反射面４３は、反射素子４２のうち、光源部３０が導入される車両上側の外縁部４１ａ側を向いて配置されている。反射面４３は、背面側から視認側へ向かう程、外縁部４１ａから遠ざかるように、透光反射表示板４０の板厚方向ＴＤに対して傾斜した平面状に形成されている。反射面４３と板厚方向ＴＤとがなす傾斜角は、３９〜４５度の範囲に設定されることが好ましく、特に本実施形態では、４５度に設定されている。また、反射面４３の外形は、矩形状を呈している。
【００３０】
裏面４４は、車両下側の外縁部４１ａ側を向いて配置されている。すなわち、裏面４４は、稜線４６を介して反射面４３とは反対側を向いて設けられていることで、反射面４３とは背中合わせに配置された平面状に形成されている。裏面４４は、板厚方向ＴＤに対して反射面４３よりも小さな傾斜角（例えば５度）に設定されている。また、裏面４４の外形は、矩形状を呈している。
【００３１】
反射面４３と裏面４４との境界である稜線４６は、反射素子４２において、背面側板面４０ｂから最も離間した頂部４７となっている。本実施形態では、背面側板面４０ｂから頂部４７までの板厚方向ＴＤに沿った寸法を、反射素子４２の凹み深さＤとして定義する。各反射素子４２の凹み深さＤは、５〜２０μｍ程度に設定されるが、詳細については後述する。
【００３２】
一対の側面４５は、反射面４３の側端部と裏面４４の側端部との間に、それぞれ配置されている。各側面４５の外形は、三角形状を呈している。こうして各反射素子４２は、背面側板面４０ｂから、四辺形部分を背面側板面４０ｂに沿わせた三角柱状に凹んでいる。
【００３３】
こうした各反射素子４２は、車両上側の外縁部４１ａを介して透光反射表示板４０の内部に導入された光源光を、反射面４３によって反射する。上述の反射面４３の傾斜角の設定により、光源光は、視認側へ向けて反射され、さらに視認側板面４０ａを透過する。これにより、透光反射表示板４０は、各反射素子４２による発光表示を行なうようになっている。
【００３４】
より詳細には、複数の反射素子４２は、互いに規則的に配列されている。複数の反射素子４２のうち少なくとも一部は、連続的に配列される反射素子群４９を構成している。本実施形態では、２つの指針表示部２３に個別に対応して、２つの反射素子群４９が構成されている。
【００３５】
同じ反射素子群４９に属する反射素子４２は、背面側板面４０ｂにより平坦に形成された平坦部４８を介することで、互いに離間して、１つずつ配置されている。ここで、反射素子群４９において、互いに隣り合う各反射素子４２の頂部４７間の距離をピッチと定義すると、同じ反射素子群４９に属する反射素子４２は、実質的に、配列方向それぞれにおいて、互いに同じピッチで配列されている。
【００３６】
特に本実施形態において、同じ反射素子群４９に属する反射素子４２は、透光反射表示板４０の沿設方向に沿った２方向に、矩形格子状に配列されている。ここで、各反射素子４２について、透光反射表示板４０内部の光源光の主たる進行方向ＰＤに対して平行な方向のピッチは、例えば６０〜１２０μｍ程度に設定されている。進行方向ＰＤに対して垂直な方向のピッチ（頂部４７の中心点４７ａ間の距離）は、例えば１００〜２００μｍ程度に設定されている。これに対して、進行方向ＰＤに対して概ね垂直な方向、すなわち反射素子４２の長手方向において、反射素子４２の幅寸法は、例えば７５μｍに設定されている。
【００３７】
このような微細な反射素子４２のピッチ及び幅寸法の設定により、光源部３０の各発光素子３１が点灯している場合、こうした複数の反射素子４２が面光源状に発光する一方、各発光素子３１が消灯している場合には、乗員による反射素子４２の視認は困難となる。なお、本実施形態において、各発光素子３１が点灯している場合には、各反射素子４２に対して、概ね光量を均一にして光源光が照射されるようになっている。
【００３８】
図１，６に示すように、各反射素子群４９の複数の発光素子４２は、面光源状の発光によって図柄５０を表示するようになっている。特に本実施形態の図柄５０は、対応する指針表示部２３と重畳して視認されることで、当該指針表示部２３を加飾する加飾図柄となっている。ここで、２つの反射素子群４９に関する図柄５０は互いに同様の構成となっているため、車両左側の反射素子群４９に関する図柄５０について代表して詳細を説明する。
【００３９】
本実施形態の図柄５０は、背面側表示板２１上において部分円環状に形成された指標２２と重なるように、全体としては指針軸ＡＸと同心円状の円環状に表示される。図柄５０の表示に関して、表示態様が互いに異なる複数の領域５１，５２，５３，５４が設けられている。表示態様としては、発光表示を行なう表示態様及び発光表示を行なわない表示態様の両方が含まれている。すなわち、複数の領域５１，５２，５３，５４には、図柄５０が発光表示される表示態様の領域としての表示領域、及び図柄５０が発光表示されない表示態様の領域としての非表示領域の両方が含まれている。
【００４０】
具体的に本実施形態では、図柄５０の表示に関する複数の領域として、内周側非表示領域５１、グラデーション領域５２、均一領域５３、及び外周側非表示領域５４が設けられている。内周側非表示領域５１は、中心を指針軸ＡＸに実質一致させた円形状の非表示領域となっている。
【００４１】
グラデーション領域５２は、内周側非表示領域５１よりも外周側かつ均一領域５３よりも内周側に配置された円環状の表示領域となっている。グラデーション領域５２は、図柄５０が発光表示される表示態様であって、表示輝度が特定方向へ向かうに従って漸次変化する表示態様に表示される。本実施形態では、特定方向として、指針軸ＡＸに対する放射方向が採用されている。詳述すると、グラデーション領域５２における表示輝度は、放射方向の内周側から外周側に向かうに従って、表示輝度ＧからＦまで線形的（１次関数的）に増大する（図７参照）。特に本実施形態では、表示輝度Ｇは、実質的に０となるように設定されている。
【００４２】
均一領域５３は、グラデーション領域５２よりも外周側かつ外周側非表示領域５４よりも内周側に配置され、グラデーション領域５２よりも放射方向の幅が小さな円環状の表示領域となっている。均一領域５３は、図柄５０が発光表示される表示態様であって、当該領域５３内において実質均一な表示輝度Ｅの表示態様に表示される（図７参照）。
【００４３】
外周側非表示領域５４は、均一領域５３よりも外周側に配置された非表示領域であって、図柄５０における言わば空白部として機能している。なお、図６において図中央に示された明るい棒状の視認物は、背面側表示板２１にて発光する目盛２２ａである。
【００４４】
図１に示すように、各領域５１，５２，５３，５４の間には、それぞれ境界をなす境界部５５ａ，５５ｂ，５５ｃが定義される。内周側非表示領域５１とグラデーション領域５２の間には、境界部５５ａが設けられている。そして、境界部５５ａの中央を通る仮想の境界線Ｍが円周状に定義される（図８も参照）。グラデーション領域５２のうち最内周における表示輝度Ｇが実質的に０に設定されていることで、境界部５５ａの境界線Ｍにおいて表示輝度は、連続値をとるように表現される（図７も参照）。
【００４５】
グラデーション領域５２と均一領域５３との間には、境界部５５ｂが設けられている。そして、境界部５５ｂの中央を通る仮想の境界線Ｋが円周状に定義される（図８も参照）。均一領域５３の表示輝度Ｅは、グラデーション領域５２のうち最外周の表示輝度Ｆよりも高い値に設定されている。このため、境界部５５ｂの境界線Ｋにおいて表示輝度は、離散値をとるように表現される（図７も参照）。
【００４６】
均一領域５３と外周側非表示領域５４との間には、円周状に境界部５５ｃが設けられている。そして、境界部５５ｃの中央を通る仮想の境界線Ｊが円周状に定義される（図８も参照）。境界部５５ｃの境界線Ｊにおいて表示輝度は、離散値をとるように表現される（図７も参照）。
【００４７】
本発明者らによる実験及び光学シミュレーション等による鋭意研究により、反射面４３での反射による反射素子４２の表示輝度と、当該反射素子４２の凹み深さＤとは、正の相関が存在する（特に本実施形態では比例関係となる）という知見が得られている。上述の表示輝度による図柄５０の表示を実現するため、こうした知見に基づいて、各領域５１，５２，５３，５３及び境界部５５ａ，５５ｂ，５５ｃにおける各反射素子４２の凹み深さＤが設定されている。以下、各反射素子４２の凹み深さＤについて詳細に説明する。
【００４８】
ここで、図８に示すように、背面側板面４０ｂを、複数の反射素子４２の配列の規則性に基づいて、仮想的に格子状分割された複数の分割セルＩＳを定義する。本実施形態では、矩形格子状に配列された各反射素子４２の配列の規則性に基づいて、矩形状の分割セルＩＳを定義する。すなわち、背面側板面４０ｂは、仮想的に、グリッド状に分割されている。ここで、各反射素子４２の頂部４７の中心点４７ａを分割セルＩＳの中心点と合致させるように、分割セルＩＳは分割されている。
【００４９】
まず、分割セルＩＳのうち、全面積が内周側非表示領域５１又は外周側非表示領域５４に属する分割セルＩＳ０においては、図柄５０は発光表示されない。このため、分割セルＩＳ１に対応する反射素子４２の凹み深さは０に設定される。すなわち、分割セルＩＳ０に対応する領域５１，５４には、反射素子４２自体が配置されない。
【００５０】
分割セルＩＳのうち、全面積が均一領域５３に属する分割セルＩＳｅにおいては、図柄５０を表示輝度Ｅにて発光表示する。このため、分割セルＩＳｅに対応する反射素子４２の凹み深さＤは、表示輝度Ｅに対応する所定値Ｄｅに設定される。本実施形態では、図柄５０のうち均一領域５３において最も高輝度にとなる表示態様が設定されているため、当該所定値Ｄｅが、反射素子群４９に属する反射素子４２の凹み深さＤのうち最大値となっている。
【００５１】
分割セルＩＳのうち、全面積がグラデーション領域５２に属する分割セルＩＳｇにおいては、放射方向に表示輝度がＧからＦまで漸次変化している。このため、反射素子４２の凹み深さＤｇは、以下の数式１に基づいて設定されている。
Ｄｇ＝Ｅ・Ｆ／Ｅ−（Ｄｅ・Ｆ／Ｅ−Ｄｅ・Ｇ／Ｅ）・Ｌ２／Ｌ１  …（数式１）          
【００５２】
ここで、Ｌ１はグラデーション領域５２の放射方向の幅寸法であり、Ｌ２は境界部５５ｂから対象の反射素子４２の頂部４７の中心点４７ａまでの距離である。
【００５３】
また、分割セルＩＳのうち、境界線Ｊ，Ｋ，Ｍのいずれかを跨ぐ分割セルＩＳ１，ＩＳ２等も存在する。こうした分割セルＩＳ１，ＩＳ２に対応する反射素子４２を、境界部５５ａ，５５ｂ，５５ｃに配置されている境界反射素子４２ａと定義する。本実施形態の境界反射素子４２ａの凹み深さＤｂｄ，Ｄｂｕは、境界に隣接する領域のうち、いずれかの領域側に隣接する反射素子４２の凹み深さＤよりも浅くなるように設定されている。すなわち、境界反射素子４２ａに隣接する反射素子４２において、当該境界反射素子４２ａよりも凹み深さＤが深い反射素子４２が存在していることとなる。
【００５４】
特に本実施形態では、境界反射素子４２ａの凹み深さは、境界に隣接する領域のうち、最も輝度が高い表示態様の領域側に隣接する反射素子４２の凹み深さＤよりも浅くなるように設定されている。
【００５５】
具体的に、表示領域と非表示領域との境界をなす境界部に配置されている境界反射素子４２ａを、特に、表示境界反射素子４２ｂと定義する。表示境界反射素子４２ｂとしては、例えば図８の境界線Ｊを跨ぐ分割セルＩＳ１に対応して、表示領域としての均一領域５３と非表示領域としての外周側非表示領域５４との境界部５５ｃに配置されている反射素子が該当する。境界部５５ｃに表示境界反射素子４２ｂの凹み深さＤｂｄは、以下の数式２に基づいて設定されている。
Ｄｂｄ＝Ｄｅ・Ｂ／（Ａ＋Ｂ）  …（数式２）
【００５６】
ここで、Ａは分割セルＩＳ１の全体面積のうち境界線Ｊよりも外周側非表示領域５４側の面積であり、Ｂは境界線Ｊよりも均一領域５３側の面積である。
【００５７】
また、互いに異なる表示輝度に表示される表示態様の複数の領域の境界をなす境界部に、配置されている境界反射素子４２ａを、特に、輝度境界反射素子４２ｃと定義する。輝度境界反射素子４２ｃとしては、例えば図８の境界線Ｋを跨ぐ分割セルＩＳ２に対応して、表示領域としての均一領域５３と表示領域としてのグラデーション領域５２との境界部５５ｂに配置されている反射素子が該当する。境界部５５ｂに隣接する複数の領域５２，５３のうち、均一領域５３が最も高輝度に表示される表示態様の領域に該当し、グラデーション領域５２が最も低輝度に表示される表示態様の領域に該当する。
【００５８】
この輝度境界反射素子４２ｃの凹み深さＤｂｕは、最も高輝度に表示される表示態様の領域５３側に隣接する反射素子４２の凹み深さＤｅと、最も低輝度に表示される表示態様の領域５２側に隣接する反射素子４２の凹み深さＤｇとの間に設定されている。より具体的に、この輝度境界反射素子４２ｃの凹み深さＤｂｕは、以下の数式３に基づいて設定されている。
Ｄｂｕ＝Ｄｅ・Ｈ／（Ｈ・Ｉ）＋（Ｄｅ・Ｆ／Ｅ）・［Ｉ／（Ｈ＋Ｉ）］
…（数式３）
【００５９】
ここで、Ｈは分割セルＩＳ２の全体面積のうち境界線Ｋよりも均一領域５３側の面積であり、Ｉは境界線Ｋよりもグラデーション領域５２側の面積である。
【００６０】
なお、図８では、各分割セルＩＳの外形が実線で示され、各分割セルＩＳに対応して配置される反射素子４２が破線で示されている。図８において破線で示された反射素子４２は、あくまでその分割セルＩＳ内に配置されていることを模式的に示しているに過ぎず、同形状に図示されていたとしても、各反射素子４２の凹み深さＤが全て同じであることを意味している訳ではない。また、図８において符号は、その一部にのみ付されている。
【００６１】
以上のように各反射素子４２の凹み深さＤが設定されていることにより、凹み深さＤに応じた輝度で、各反射素子４２を面光源状に発光させることが可能となるのである。
【００６２】
次に、このような透光反射表示板４０を備えた車両用表示装置１００を実現するための、当該透光反射表示板４０の成形型の製造方法を、図９のフローチャートに基づいて以下に説明する。
【００６３】
データ作成工程Ｓ１０では、表示したい図柄５０の輝度分布を計算機に入力する。計算機には、輝度分布を凹み深さＤの分布に変換するプログラム、及び凹み深さＤの分布から後述するドットパンチ工程Ｓ２０で用いられる成形パンチ工具６１の運動を制御する加工制御データを作成するプログラムが記憶されている。計算機は、輝度分布から加工制御データを作成し、出力する。
【００６４】
データ作成工程Ｓ１０後のドットパンチ工程Ｓ２０では、図１０に示すように、まず、平板状の型台６０と、成形パンチ工具６１とを加工機に設置する。成形パンチ工具６１の先端部は、透光反射表示板４０における反射素子４２に対応した形状となっており、特に本実施形態では、反射面４３の傾斜角に合わせたテーパ面６１ａと、裏面４４の傾斜角に合わせたテーパ面６１ｂを背中合わせに配置した楔形状に形成されている。
【００６５】
こうした成形パンチ工具６１の設置後、加工機と連携する成形パンチ工具６１の運動制御装置に、データ作成工程Ｓ１０にて得られた加工制御データを入力する。そして、成形パンチ工具６１は、当該加工制御データに基づいて、各反射素子４２に対応する位置において、型台６０の表面６０ａに向かって、当該型台６０の垂直方向に往復運動する。この往復運動は、各反射素子４２の凹み深さＤに基づいたストロークで行われるため、上述の凹み深さＤを有する反射素子４２形状に対応した凹部６０ｂを、型台６０に形成することができる。一方で、各凹部６０ｂの周辺部には、パンチにより削られた基材が移動して盛り上がり部６０ｃが形成されてしまう。
【００６６】
ドットパンチ工程Ｓ２０後の平面研削工程Ｓ３０では、図１１に示すように、研削工具６２を型台６０の表面６０ａに当接させた状態で、型台６０の沿設方向に沿って往復運動又は回転運動させることにより、表面６０ａを平面研削する。これにより、盛り上がり部６０ｃは研削され、表面６０ａが鏡面仕上げされる。
【００６７】
平面研削工程Ｓ３０後の転写工程Ｓ４０では、図１２に示すように、型台６０の表面６０ａ及び凹部６０ｂの形状を、電鋳（Electroforming）により、電鋳反転型６３に転写する。こうして形成された電鋳反転型６３が、透光反射表示板４０の成形型となる。
【００６８】
その後、電鋳反転型６３を用いて射出成型を行なうことにより、透光反射表示板４０を形成することができる。
【００６９】
（作用効果）
以上説明した本実施形態の作用効果を改めて以下に説明する。
【００７０】
本実施形態によると、表示態様が互いに異なる複数の領域５１，５２，５３，５４の境界部５５ａ，５５ｂ，５５ｃに配置された境界反射素子４２ａは、いずれかの領域側に隣接する反射素子４２よりも、凹み深さＤが小さくなっている。こうした境界反射素子４２ａでは、凹み深さＤが浅い程、光源部３０から外縁部４１ａを介して透光反射表示板４０の内部に導入された光源光の受光量が減少する傾向にあるため、表示輝度を減少させることができる。故に、境界反射素子４２ａが設けられた境界部５５ａ，５５ｂ，５５ｃは、反射素子４２の凹み深さＤが相対的に深い領域よりも小さな表示輝度で表示されることとなる。図柄５０についての境界部５５ａ，５５ｂ，５５ｃにおける境界反射素子４２ａの配置箇所が、全く表示されないわけでもなく、高輝度に張り出したように表示されるわけでもないので、複数の領域５１，５２，５３，５４の表示態様が異なっていても、境界部５５ａ，５５ｂ，５５ｃでの反射素子４２ａの発光に起因した違和感を緩和することができる。以上により、見栄えが良好な車両用表示装置１００を提供することができる。
【００７１】
また、本実施形態によると、上述の境界反射素子４２ａとしての表示境界反射素子４２ｂは、図柄５０が表示される表示領域としての均一領域５３と、図柄５０が表示されない非表示領域としての外周側非表示領域５４との境界をなす境界部５５ａに、配置されている。こうした表示境界反射素子４２ｂは、全く表示されないわけでもなく、高輝度に張り出したように表示されるわけでもないので、図柄５０の外輪郭を比較的正確に表現することができる。視認者に与える違和感を減少させつつ、図柄５０の外輪郭の見栄えが改善されることによって、図柄５０の視認性も良好なものとなる。
【００７２】
また、本実施形態によると、表示境界反射素子４２ｂの凹み深さＤｂｄについて、Ｄｂｄ＝Ｄｅ・Ｂ／（Ａ＋Ｂ）の等式が成立する。このように、境界線Ｊに基づいた分割セルＩＳ，ＩＳ１の面積比に応じて、凹み深さＤｂｄが設定されることにより、境界部５５ｃをより適切な表示輝度で表示することができるので、図柄５０の外輪郭を一層正確に表現することができる。したがって、見栄えは一層良好なものとなる。
【００７３】
また、本実施形態によると、上述の境界反射素子４２ａとしての輝度境界反射素子４２ｃは、互いに異なる表示輝度に表示される複数の領域５２，５３の境界をなす境界部５５ｂに、配置されている。こうした輝度境界反射素子４２ｃは、最も高輝度に表示される領域としての均一領域５３よりも小さな表示輝度で表示されることとなるので、最も高輝度に表示される領域としての均一領域５３が他の領域としてのグラデーション領域５２側に部分的に張り出したように表示されることが抑制される。したがって、視認者に与える違和感を減少させて、境界部５５ｂの見栄えが改善される。
【００７４】
また、本実施形態によると、輝度境界反射素子４２ｃの凹み深さＤｂｕは、複数の領域５２，５３のうち、最も高輝度に表示される領域としての均一領域５３側に隣接する反射素子４２の凹み深さＤｅと、最も低輝度に表示される領域としてのグラデーション領域５２側に隣接する反射素子４２の凹み深さＤｇとの間となっている。このようにすると、境界部５５ｂにおいて、均一領域５３がグラデーション領域５２側に部分的に張り出したように表示されることが抑制されると同時に、境界部５５ｂが領域５２，５３に対して相対的に暗く表示されることも抑制される。したがって、視認者に与える違和感を減少させて、境界部５５ｂの見栄えが改善される。
【００７５】
また、本実施形態によると、グラデーション領域５２は、表示輝度が特定方向へ向かうに従って変化する表示態様をなしている。一方、境界反射素子４２ａが上述の凹み深さＤに形成されているので、グラデーション領域５２の内部から境界に至るまでグラデーション状の表示を違和感少なく表示することができるため、図柄５０の見栄えは格段に良好なものとなる。
【００７６】
また、本実施形態によると、同じ反射素子群４９に属する各反射素子４２は、境界部５５ａ，５５ｂ，５５ｃに配置されているか境界部５５ａ，５５ｂ，５５ｃ以外に配置されているかに関わらず、互いに同じピッチにて配列されている。このようにすると、ピッチの変更部分が発生しないため、変更部分での表示の違和感を生じさせることがない。こうした同じピッチの条件下であっても、境界部５５ａ，５５ｂ，５５ｃにおいて境界反射素子４２ａが上述の凹み深さＤに設定されているので、視認者に与える違和感を減少させて、境界部５５ａ，５５ｃ，５５ｃの見栄えが改善される。以上により、見栄えが良好な車両用表示装置１００を提供することができる。
【００７７】
（他の実施形態）
以上、一実施形態について説明したが、発明は、当該実施形態に限定して解釈されるものではなく、発明の要旨を逸脱しない範囲内において種々の実施形態に適用することができる。
【００７８】
具体的に変形例１としては、図１３に示すように、反射素子群４９の各反射素子４２において、位置に応じて適宜反射面４３の向きを異ならせてもよい。例えば、複数の方向から光源光を供給するようにして、当該複数の方向に応じて各反射素子４２の反射面４３の向きを異ならせることができる。
【００７９】
変形例２としては、図１４に示すように、各反射素子４２の位置に応じて当該反射素子４２に照射する光源光の光量が異なるように変更して、さらにこの光量の違いに対応して、各反射素子４２間の凹み深さＤを異なるように変更してもよい。図１４の例では、車両右側よりも車両左側の方が光源光の光量が多くなるようにし、この光量の違いに対応して、車両左側の反射素子４２の凹み深さＤ１を、車両右側の反射素子４２の凹み深さＤ２よりも浅くなるように設定している。この結果、車両右側と車両左側とで概ね同等の表示輝度を実現することができる。
【００８０】
変形例３としては、反射素子４２として、様々な形状を採用することができる。例えば、曲面状の反射面を有する反射素子が採用されてもよい。
【００８１】
変形例４としては、複数の反射素子４２は、互いに規則的に配列されていれば、矩形格子状に配列されていなくてもよい。例えば、複数の反射素子４２は、三角格子状、六角格子状、斜方格子状、又はその他の複雑な格子状に配列されていてもよい。
【００８２】
変形例５としては、複数の反射素子４２は、平坦部４８を介さずに、隙間なく配列されていてもよい。
【００８３】
変形例６としては、図柄５０は、指針表示部２３と重畳表示される加飾図柄に限られない。図柄５０は、画像表示部２６と重畳表示されるようにしてもよく、他の表示と全く重畳していないものであってもよい。また、図柄５０は、加飾の機能に留まらず、それ自体が目盛、警告灯等の形状をなすことで車両の情報を表示するようにしてもよい。また、図柄５０の一部分が反射素子４２以外の例えば拡散素子、発光素子等によって表示されるようにしてもよい。
【００８４】
変形例７としては、図１５に示すように、透光反射表示板４０は、外縁部４１，４１ａにおいて、外側へ向かう程背面側に傾斜して設けられる平面状の外縁反射面４１ｂと、外縁反射面４１ｂから背面側に延びる外縁導光部４１ｃを有していてもよい。図１１の例では、外縁導光部４１ｃの背面側の先端面に対向して、光源部３０の複数の発光素子３１が配列されている。複数の発光素子３１が互いに異なる位置から発した光源光は、外縁導光部４１ｃにより外縁反射面４１ｂへ導光され、さらに外縁反射面４１ｂにより透光反射表示板４０の内側へと反射される。このようにして、光源光が透光反射表示板４０の内部に導入される。
【符号の説明】
【００８５】
１００  車両用表示装置、３０  光源部、４０  透光反射表示板、４０ｂ  背面側板面（板面）、４１，４１ａ  外縁部、４２  反射素子、４２ａ  境界反射素子、５０  図柄、５１，５２，５３，５４  領域、５５ａ，５５ｂ，５５ｃ  境界部、Ｄ  凹み深さ
【図１】
2018179655.tif 000003
【図２】
2018179655.tif 000004
【図３】
2018179655.tif 000005
【図４】
2018179655.tif 000006
【図５】
2018179655.tif 000007
【図６】
2018179655.tif 000008
【図７】
2018179655.tif 000009
【図８】
2018179655.tif 000010
【図９】
2018179655.tif 000011
【図１０】
2018179655.tif 000012
【図１１】
2018179655.tif 000013
【図１２】
2018179655.tif 000014
【図１３】
2018179655.tif 000015
【図１４】
2018179655.tif 000016
【図１５】
2018179655.tif 000017